(57)【要約】【課題】  光軸周りに回転操作する操作リングを備えたレンズアダプタにおいてレンズロック解除操作を快適に行うことを可能にしたレンズアダプタを提供すること。【解決手段】  レンズが着脱可能なレンズ側マウントと、カメラが着脱可能なカメラ側マウントと、カメラ側マウントおよびレンズ側マウントを保持するベースと、レンズ側マウントおよびベースに保持されレンズ側マウント面から進退するレンズロックピンと、光軸回りに回転可能な操作リングと、操作リングを回転可能に保持し、ベースに対して操作リングと一体で光軸方向に移動可能なリングベースとを持ち、操作リングを光軸方向移動させレンズロックを解除することを特徴とする。【選択図】  図１
2020173368.tif 000002
【特許請求の範囲】
【請求項１】
レンズが着脱可能なレンズ側マウントと、
カメラが着脱可能なカメラ側マウントと、
カメラ側マウントおよびレンズ側マウントを保持するベースと、
レンズ側マウントおよびベースに保持されレンズ側マウント面から進退するレンズロックピンと、
光軸回りに回転可能かつ光軸方向に移動可能な操作リングと、
操作リングを回転可能に保持し、ベースに対して操作リングと一体で光軸方向に移動可能なリングベースと、
を持ち、操作リングを光軸方向移動させレンズロックを解除することを特徴とするレンズアダプタ。
【請求項２】
操作リングの回転を規制する回転規制部を持ち、レンズ装着作業時には回転規制部により操作リングの回転が規制され、レンズ装着完状態では回転規制部による操作リング回転規制を解除し、レンズ取り外し時は操作リングを光軸方向移動させ操作リングの回転規制を行いかつレンズロックピンを光軸方向に移動させレンズロックを解除することを特徴とする請求項１に記載のレンズアダプタ。
【請求項３】
回転規制部はベースに対して光軸方向に移動可能であり、レンズ装着完状態では回転規制部が光軸方向に移動し操作リング回転規制を解除することを特徴とする請求項２に記載のレンズアダプタ。
【請求項４】
レンズロックピン、操作リングベース、回転規制部それぞれをレンズマウント側に付勢する第１、第２、第３の付勢部を持ち、操作リングベースは第２の付勢部の付勢力によりベースを押圧、レンズロックピンは第１の付勢部の付勢力により操作リングベースを押圧、回転規制部は第３の付勢部の付勢力により操作リングを押圧し操作リングの回転を規制していることを特徴とする請求項３に記載のレンズアダプタ。
【請求項５】
第３の付勢部の付勢力による摩擦力でリングの回転を規制することを特徴とする請求項４に記載のレンズアダプタ。
【請求項６】
回転規制部および操作リングの一方には突起部、他方には溝部を設けていることを特徴とする請求項５に記載のレンズアダプタ。
【請求項７】
回転規制部はレンズと当接するレンズ当接部を持ち、レンズ装着時にレンズと当接し光軸方向に移動し、操作リングの回転規制を解除することを特徴とする請求項３に記載のレンズアダプタ。
【請求項８】
回転規制部のレンズ当接部は斜面がありレンズ装着時にレンズのマウント爪と当接することを特徴とする請求項７に記載のレンズアダプタ。
【請求項９】
操作リングに対して径方向に移動可能な回転規制部を持ち、回転規制部とリングベースが当接することで操作リングの回転を規制することを特徴とする請求項２に記載のレンズアダプタ。
【発明の詳細な説明】
【技術分野】
【０００１】
本発明は、レンズとカメラの間に接続するレンズアダプタに関する。
【背景技術】
【０００２】
従来交換式カメラにおいて、異なる規格のマウントのカメラにレンズを装着するためにカメラとレンズの間にレンズアダプタを介在して装着していた。
【０００３】
図１２に従来のレンズアダプタを示す。レンズアダプタはレンズ側マウント１０１側に交換レンズ、カメラ側マウント１０２にカメラを装着し使用する。レンズ側マウント１０１からレンズロックピン１０４が進退可能に突出しており、交換レンズ装着時には交換レンズのマウントに設けた溝にレンズロックピン１０４が嵌合することでレンズアダプタに対するレンズの回転をロックしている。レンズ取り外し時にはレンズアンロックノブ１０５を図１２の矢印方向に指で動かすことでレンズロックピン１０４をレンズ側マウント１０１面から退避させ、レンズのロックを解除している。
【０００４】
他の従来例として、特許文献１ではレンズアンロックノブをリングにすることにより操作ノブの出っ張りがなくなりデザイン性を向上している。またレンズアダプタの外周３６０°どこでもレンズアンロック操作をすることができるため作業性を向上させている。
【先行技術文献】
【特許文献】
【０００５】
【特許文献１】特許第５５２５０９３号公報
【発明の概要】
【発明が解決しようとする課題】
【０００６】
しかしながら光軸周りに回転する操作リングを備えたレンズアダプタにおいて、特許文献１に開示された従来技術ではリングは光軸周りに回転しない。そのため回転操作するリングでレンズロック解除する場合には操作リングが回転する恐れがあり操作性がよくない。
【０００７】
また、操作リングとレンズアンロックノブを光軸方向に重ねた場合は配置するスペースが無く、操作リングとアンロックノブ双方の幅を狭くする必要があり操作性が低下する。また、操作リングとアンロックノブをそれぞれレンズ側、カメラ側へ寄せて配置した場合には操作時に指の入るスペースが狭くなり操作性が低下する。
【０００８】
そこで、本発明の目的は、光軸周りに回転操作する操作リングを備えたレンズアダプタにおいてレンズロック解除操作を快適に行うことを可能にしたレンズアダプタを提供することにある。
【課題を解決するための手段】
【０００９】
上記の目的を達成するために、本発明に係るレンズアダプタは、
レンズが着脱可能なレンズ側マウントと、カメラが着脱可能なカメラ側マウントと、カメラ側マウントおよびレンズ側マウントを保持するベースと、レンズ側マウントおよびベースに保持されレンズ側マウント面から進退するレンズロックピンと、光軸回りに回転可能な操作リングと、操作リングを回転可能に保持し、ベースに対して操作リングと一体で光軸方向に移動可能なリングベースとを持ち、操作リングを光軸方向移動させレンズロックを解除することを特徴とする。
【発明の効果】
【００１０】
本発明によれば、光軸周りに回転操作する操作リングを備えたレンズアダプタにおいてレンズロック解除操作を快適に行うことを可能にしたレンズアダプタの提供を実現できる。
【図面の簡単な説明】
【００１１】
【図１】本発明のレンズアダプタの断面図
【図２】本発明のレンズアダプタの断面図
【図３】本発明のレンズアダプタ正面図および側面図
【図４】本発明のレンズアダプタのレンズ装着作業時の断面図
【図５】本発明のレンズアダプタのレンズ装着完時の断面図
【図６】本発明のレンズアダプタのレンズ装着作業時レンズ側マウントおよび回転規制部材の背面図
【図７】本発明のレンズアダプタのレンズ装着完時のレンズ側マウントおよび回転規制部材の側面図
【図８】本発明のレンズアダプタのレンズ取り外し作業時の断面図
【図９】本発明のレンズアダプタの使用時の斜視図
【図１０】実施例２の回転規制部と操作リングの側面図
【図１１】実施例３のレンズアダプタの断面図
【図１２】従来のレンズアダプタの正面図および側面図
【発明を実施するための形態】
【００１２】
以下に、本発明の好ましい実施の形態を、添付の図面に基づいて詳細に説明する。図１は、本発明の実施形態にかかわるレンズアダプタの断面図である。
【実施例１】
【００１３】
以下、図１〜図９を参照して、本発明の第１の実施例による、レンズアダプタについて説明する。
【００１４】
図９は本発明のレンズアダプタ１００の使用状態を示す図であり、カメラ３００に異なる規格のマウントをもつ交換レンズ２００を装着するために交換レンズ２００とカメラ３００間に接続される。交換レンズ２００およびカメラ３００はそれぞれレンズアダプタ１００にバヨネット結合されている。
【００１５】
次に図１から図３を用いて本発明のレンズアダプタの構成を説明する。
【００１６】
図１は図２の本発明のレンズアダプタのＡ−Ａ断面図である。図２は図３の本発明のレンズアダプタのＢ−Ｂ断面図である。図３は本発明のレンズアダプタ正面図および側面図である。
【００１７】
１はレンズ側マウント、２はカメラ側マウントでありマウントベース３に固定されている。４はレンズロックピンであり、レンズ側マウント１に対して進退可能に保持されている。レンズロックピンバネ８はレンズロックピン４をリングベース６に押圧しており、レンズ側マウント１からレンズロックピン４を突出させている。レンズロックピン４は交換レンズマウントに形成された溝部に嵌合することで交換レンズをレンズ側マウント１に対してロックしている。レンズロックピン４はレンズロックピンバネ８の付勢力に抗することでレンズ側マウント１面から退避可能であり、レンズマウントの溝部からも退避し交換レンズのロックを解除する。
【００１８】
５は操作リングであり、リングベース６と光軸方向には一体で移動し、レンズ装着完了時には光軸周りに相対回転可能に保持されている。光軸方向への操作でレンズロックピン４をレンズ側マウント１面から退避させレンズのロックを解除する。光軸周りの回転操作で交換レンズ２００の駆動部の操作またはカメラ３００の機能の変更を行う。
【００１９】
５ａは操作リング５の周方向に周期的に複数形成された遮光部であり、回転操作によりリングベース６に保持されたフォトインタラプタ１１内に挿脱される。フォトインタラプタ１１の出力の変化から操作リング５の回転を検出し、回転量に応じて交換レンズ２００の駆動部の操作またはカメラ３００の機能の変更を行う。リングベース６はマウントベース３に対して光軸方向に移動可能に保持されている。リングベースバネ９はリングベース６をマウントベース３に押圧している。レンズ取り外し時には操作リング５の光軸方向操作によりリングベースバネ９の付勢力に抗してリングベース６は光軸方向に移動される。詳細については後述する。
【００２０】
７は回転規制部材であり、マウントベース３に対して光軸方向移動可能に保持されている。回転規制部材バネ１０は回転規制部材７を操作リング５に押圧している。回転規制部７ａと当接部５ｂが当接しており、回転規制部材バネ１０の付勢力による摩擦力で操作リング５の光軸周りの回転を規制している。交換レンズ装着時には回転規制部材バネ１０の付勢力に抗して回転規制部材７が光軸方向に移動することで操作リング５との当接が解除され操作リング５の回転が可能となる。詳細は後述する。
【００２１】
次に図４〜図８を用いてレンズ着脱時のレンズアダプタの動きについて説明する。
【００２２】
図４は本発明のレンズ装着作業時のレンズアダプタの断面図である。図６は本発明のレンズ装着作業時の交換レンズとレンズアダプタの関係を表すカメラ側マウントから見た図である。
【００２３】
レンズ装着作業時にはまず図６に示すように交換レンズマウント２０１のマウント爪２０１ｃ３か所がレンズ側マウント１の切り欠き１ａに挿入される。挿入後図６の矢印方向に回転させレンズマウントにロックする。
【００２４】
図４に示すように、レンズ装着作業時には交換レンズマウント２０１のマウント摺動面２０１ａにレンズロックピン４が当接するためレンズロックピンバネ８の付勢力に抗してレンズ側マウント１面から退避する。そのため交換レンズ２００はレンズアダプタ１００に対して図６の矢印方向に回転可能となる。この時レンズロックピン４の小径部４ａの光軸方向長さはリングベース６の係合部６ａの光軸方向幅部より大きいためリングベース６に力を伝えずにレンズロックピン４のみを光軸方向に移動可能である。また、レンズ装着作業時には図４に示すように回転規制部材７は光軸方向には移動せず回転規制部材７の回転規制部７ａは操作リング５に当接した状態を保っており、操作リング５の回転は規制されている。つまり交換レンズ装着作業時には操作リング５は回転しないので操作リング５をつかんでレンズ装着作業を行うことができ、作業性が向上する。
【００２５】
図５は本発明のレンズ装着時のレンズアダプタの断面図である。
【００２６】
レンズ装着状態ではレンズロックピンバネ８の付勢力によりレンズロックピン４が交換レンズマウント２０１のマウント摺動面２０１ａに形成された溝部２０１ｂに嵌り込むため交換レンズ交換レンズマウント２０１の回転がロックされる。回転規制部材７が光軸方向に移動し回転規制部７ａと操作リング５の当接が解除され操作リング５はリングベース６に対して回転可能となる。
【００２７】
図６に示すように回転規制部材７にはレンズマウント接触部７ｂがマウント爪２０１ｃと径方向同高さに３か所形成されている。図７はレンズ装着完了時に図６の矢印Ｃ方向から見たレンズマウント２００と回転規制材７を表す図である。レンズマウント接触部７ｂには斜面が形成されている。図７に示すようにレンズ装着作業時には交換レンズ２００は矢印Ｄ方向に回転される。その際にマウント爪２０１ｃがレンズマウント接触部７ｂの斜面に当接するため回転規制部材７は矢印Ｅ方向に移動、操作リング５との当接が解除され、操作リング５の回転操作が可能となる。
【００２８】
図８は本発明のレンズ取り外し作業時のレンズアダプタの断面図である。
【００２９】
交換レンズ２００の取り外し時には操作リング５を光軸方向に操作し、レンズロックピン４をレンズ側マウント１面より退避させ、交換レンズ２００のロックを解除する。また操作リング５は光軸方向移動時にカメラ側マウント２側に逃げていた回転規制部材７に当接するため操作リング５の回転は規制される。
【００３０】
操作リング５は光軸方向前後に２体化されたリングベース６に付勢部１２を介して保持されている。付勢部１２は操作リング５をカメラ側マウント２側のリングベース６に押圧している。そのためレンズ取り外し作業時には操作リング５をリングベース６と一体に光軸方向に移動させる。
【００３１】
また、図８に示すようにリングベース６の係合部６ａはレンズロックピンバネ８によって矢印と反対方向にレンズロックピン４に押圧されている。そのため操作リング５の光軸方向操作時にはレンズロックピンバネ８の付勢力に抗しレンズロックピン４を光軸方向に移動、レンズ側マウント１面より退避させロックを解除する。また、操作リング５を光軸方向に操作時には図７のレンズ装着状態で交換レンズ２００のマウント爪２０１ｃと接触し光軸方向後方に逃げていた回転規制部材７に再び当接する。これにより操作リング５の回転が規制される。そのため操作リング５をつかんだ状態で交換レンズを回転させることができるため、レンズアダプタ１００からの取り外し作業を快適に行うことができる。
【００３２】
上述した構成とすることでレンズ着脱時は操作リングの回転を規制、レンズ装着時の使用状態では回転可能としたため、光軸周りに回転操作する操作リングを備えたレンズアダプタにおいてレンズロック解除操作を快適に行うことを可能にした。
【００３３】
以上、本発明の好ましい実施形態について説明したが、本発明はこれらの実施形態に限定されず、その要旨の範囲内で種々の変形及び変更が可能である。
【実施例２】
【００３４】
実施例１と異なる箇所のみを図１０を用いて説明する。
【００３５】
図１０は本発明の第２の実施例であるレンズアダプタの回転規制部材４０７および操作リング４０５の形状の図である。
【００３６】
回転規制部材４０７の回転規制部４０７ａは図１０に示すように突起形状をしている。操作リング４０５の当接部４０５ｂには回転規制部４０７ａの突起形状が嵌る溝を設けている。実施例１では回転規制部７ａは回転規制部材バネ１０の付勢力により当接部５ｂに押圧され、その摩擦力で操作リング５の回転を規制していた。本実施例では回転規制部材バネ１０の付勢力により回転規制部４０７ａと当接部４０５ｂが図１０に示すように噛み合うことで操作リング４０５の回転が規制される。また、レンズ装着時の使用状態では実施例１に示すように光軸方向に移動し回転規制部４０７ａと当接部４０５ｂの噛み合いが解除されるため操作リング４０５の回転は可能となる。上記のように本実施例の構成において実施例１と同様に光軸周りに回転操作する操作リングを備えたレンズアダプタにおいてレンズロック解除操作を快適に行うことを可能にした。
【００３７】
以上、本実施例の回転規制部について説明したがこれらの実施形態に限定されず、その要旨の範囲内で種々の変形及び変更が可能である。
【実施例３】
【００３８】
実施例１と異なる箇所のみを図１１を用いて説明する。
【００３９】
図１１は本発明の実施例３の断面図である。
【００４０】
実施例３のレンズアダプタ５００は操作リング５０５に対して一体的に光軸周りに回転可能かつ径方向に移動可能な回転規制部操作ボタン５１３を設けている。回転規制ボタン５１３は回転規制部５０７に固定されている。回転規制部バネ５１０は操作リングと回転規制ボタン５１２間に配置され回転規制ボタンを操作リング５０５に対し周方向外側に付勢している。リングベース５０６には溝部５０６ａが形成されており、回転規制ボタン５１２を図１１の矢印方向に押し込むことで回転規制部５１７が溝部５０６ａに嵌り操作リング５０５の回転を規制する。
【００４１】
レンズ着脱時に回転規制ボタン５１２を押しこむことで操作リングの回転を規制できるため実施例１と同様に光軸周りに回転操作する操作リングを備えたレンズアダプタにおいてレンズロック解除操作を快適に行うことを可能にした。
【００４２】
以上、本実施例の回転規制部について説明したが、これらの実施形態に限定されず、その要旨の範囲内で種々の変形及び変更が可能である。
【符号の説明】
【００４３】
１  レンズ側マウント、２  カメラ側マウント、３  マウントベース、
４  レンズロックピン、５  操作リング、６  リングベース、
７  回転規制部材、８  レンズロックピンバネ、９  リングベースバネ、
１０  回転規制部材バネ
【図１】
2020173368.tif 000003
【図２】
2020173368.tif 000004
【図３】
2020173368.tif 000005
【図４】
2020173368.tif 000006
【図５】
2020173368.tif 000007
【図６】
2020173368.tif 000008
【図７】
2020173368.tif 000009
【図８】
2020173368.tif 000010
【図９】
2020173368.tif 000011
【図１０】
2020173368.tif 000012
【図１１】
2020173368.tif 000013
【図１２】
2020173368.tif 000014